(57)【特許請求の範囲】
【請求項１】
縁部に固定可能であり、対向して配置されている一組のアームと、前記一組のアームの間において支持されている基台と、前記基台に対して鉛直面内及び水平面内の双方において回動可能であるように前記基台上に取り付けられた本体と、前記本体に対して鉛直面内において回動可能であるように前記本体に取り付けられ、釣竿を支持する釣竿受け台と、前記本体に対して鉛直面内において回動可能であるように前記本体に取り付けられ、釣竿の後端を支持する釣竿支持体と、からなり、
前記基台は、前記アームに対して前記アームの前端及び後端の双方を中心として鉛直面内において回動可能であり、かつ、前記アームから取り外すことができるように前記一組のアームの間において支持されていることを特徴とする釣竿保持装置。
【請求項２】
前記一組のアームの間には前記アームの前端及び後端に２本の軸が掛け渡されており、前記基台は前記２本の軸の各々に対して係合及び脱離自在な二つのフック部材を介して前記アームに支持されていることを特徴とする請求項１に記載の釣竿保持装置。
【請求項３】
前記釣竿保持装置は前記基台と前記本体との間に配置されるジョイント部材を備えており、前記本体は前記ジョイント部材に対して鉛直面内において回動可能であるように前記ジョイント部材に取り付けられており、前記ジョイント部材の底面には、半径方向に等間隔に凸状体が形成され、前記ジョイント部材の底面から突出している雄ジョイントが形成され、前記基台の上面には、前記雄ジョイントの凸状体と係合し得る凹状体が形成されている雌ジョイントが形成されており、前記雄ジョイントと前記雌ジョイントとの係合位置を変えることによって、前記本体は前記基台に対して水平面内において回動可能であるようになっていることを特徴とする請求項１又は２に記載の釣竿保持装置。
【請求項４】
前記雄ジョイントと前記雌ジョイントの中央にはそれぞれ貫通穴が形成されており、前記ジョイント部材と前記基台とは、前記雄ジョイント及び前記雌ジョイントの双方の貫通穴に通されたボルトと、該ボルトに対応する蝶ネジとによって、相互に固定されるものであることを特徴とする請求項３に記載の釣竿保持装置。
【請求項５】
前記一対のアームの各々は、少なくとも、第一の部材と、該第一の部材と直交して延びる第二の部材とを備えており、第一の軸が前記第一の部材において前記一対のアームの間に掛け渡され、第二の軸が前記第一の部材と前記第二の部材の交点において前記一対のアームの間に掛け渡され、第三の軸が前記第二の部材において前記一対のアームの間に掛け渡されており、前記第一の軸と前記第二の軸との間の距離は前記第二の軸と前記第三の軸との間の距離に等しいものであることを特徴とする請求項１乃至４の何れか一項に記載の釣竿保持装置。
【発明の詳細な説明】
【０００１】
【発明の属する技術分野】
本発明は、船縁その他の突出部に釣竿を固定しておくための釣竿保持装置に関する。
【０００２】
【従来の技術】
これまで多くの釣竿保持装置が提案されているが、その一例として、特開平８−１９６１８０号に開示されている釣竿保持装置の概略を図６に示す。
この釣竿保持装置は、図６の紙面と垂直な方向に対向して配置されている一対のアーム（図６では片方のみ図示）１０を備えており、この一対のアーム１０はそれぞれクランプ１２を介して船縁１４に固定されている。
【０００３】
アーム１０の間には箱状の台座１６が支持されている。この台座１６は、一対のアーム１０の間に掛け渡されている軸Ｊ１を中心としてアーム１０に対して矢印Ａの方向に回動可能である。さらに、台座１６は、台座１６に対して回動自在に台座１６に取り付けられているフック部材１８を介して、一対のアーム１０の間に掛け渡されている軸Ｊ２に係合している。このため、フック部材１８と軸Ｊ２との係合を解除すれば、台座１６は軸Ｊ１を中心として回動可能な状態になり、フック部材１８と軸Ｊ２とを係合させれば、台座１６は回動不能の状態になり、アーム１０に対して固定された状態となる。
【０００４】
台座１６の上には回動台２０が台座１６に対して水平面内において回動可能であるように取り付けられている。回動台２０の上には本体２２が固定されている。本体２２は台座１６及び回動台２０を越えて前方まで延びており、その先端には釣竿２４を支持するＵ字型の竿受け部２６が形成されている。
また、本体２２の後端には、軸Ｊ３を中心として本体２２に対して矢印Ｂの方向に回動自在に取り付けられている釣竿支持体２８が取り付けられている。釣竿支持体２８には、釣竿２４を挿入し得る開口部（図示せず）が設けられており、この開口部に釣竿２４の後端を挿入し、釣竿２４の前方部分を竿受け部２６で支持することにより、釣竿２４を水平に維持した状態で保持することができる。
【０００５】
この従来の釣竿保持装置は次のようにして用いられる。
まず、釣糸（図示せず）の先端に釣り用の仕掛けを取り付ける。次いで、釣竿２４を竿受け部２６上に載せた後、釣竿２４の後端を釣竿支持体２８の開口部に挿入し、釣竿２４を水平の状態に維持する。この後、台座１６に設けられているフック部材１８を回動させ、フック部材１８と軸Ｊ２との係合を解除させる。これによって、台座１６は軸Ｊ１を中心として回動可能になる。
【０００６】
台座１６、回動台２０及び本体２２は一体であるので、台座１６を軸Ｊ１を中心として矢印Ａの方向に回動させることにより、図６の破線で示すように、台座１６、回動台２０及び本体２２を一体的に回動させ、釣竿２４の先端を下方に傾斜させ、釣糸を水中に落とし込むことができる。この後、台座１６、回動台２０及び本体２２を矢印Ａとは逆の方向に回動させ、フック部材１８を軸Ｊ２に係合させることにより、再び、釣竿２４を水平状態に維持しつつ、釣りを行うことができる。
【０００７】
【発明が解決しようとする課題】
前述したように、図６に示した従来の釣竿保持装置における回動台２０は台座１６に対して水平面内において回動可能に台座１６に取り付けられている。回動台２０を台座１６に対して水平面内において回動可能に形成しているのは、釣竿２４の向きを自在に変更できるようにするためである。
【０００８】
この従来の釣竿保持装置では、回動台２０を台座１６に対して水平面内において回動させず、すなわち、釣竿２４が台座１６の長手方向と同一の方向を向いたままの状態で、台座１６を軸Ｊ１を中心として回動させても、Ｕ字型竿受け部２６の開口部は上方を向いたままであるので、釣竿２４はＵ字型の竿受け部２６の内部に支持され、釣竿２４は竿受け部２６から落ちることはない。
【０００９】
しかしながら、回動台２０を台座１６に対して水平面内において回動させた状態のまま、フック部材１８と軸Ｊ２との係合を解除し、台座１６を軸Ｊ１を中心として矢印Ａの方向に回動させると、Ｕ字型竿受け部２６の開口部は斜め上方を向くことになり、台座１６の回動の角度によっては、斜めになったＵ字型竿受け部２６から釣竿２４が滑り落ちてしまうことがあった。
【００１０】
本発明はこのような従来の釣竿保持装置の問題点に鑑みてなされたものであり、釣竿を水平面内において回動させた状態のまま、釣竿を鉛直面内において回動させても、釣竿が竿受け部から滑り落ちることのないような釣竿保持装置を提供することを目的とする。
【００１１】
【課題を解決するための手段】
この目的を達成するため、本発明に係る釣竿保持装置のうち、請求項１に記載した釣竿保持装置は、縁部に固定可能であり、対向して配置されている一組のアームと、前記一組のアームの間において支持されている基台と、前記基台に対して鉛直面内及び水平面内の双方において回動可能であるように前記基台上に取り付けられた本体と、前記本体に対して鉛直面内において回動可能であるように前記本体に取り付けられ、釣竿を支持する釣竿受け台と、前記本体に対して鉛直面内において回動可能であるように前記本体に取り付けられ、釣竿の後端を支持する釣竿支持体と、からなり、前記基台は、前記アームに対して前記アームの前端及び後端の双方を中心として鉛直面内において回動可能であり、かつ、前記アームから取り外すことができるように前記一組のアームの間において支持されていることを特徴とする。
【００１２】
本釣竿保持装置においては、釣竿の前方部分を支持する釣竿受け台と釣竿の後端を支持する釣竿支持体はともに本体に取り付けられており、この本体は基台に対してのみ鉛直面内及び水平面内の双方において回動可能であるように基台に取り付けられている。従って、本体を基台に対して水平面内において回動させ、その後、鉛直面内において回動させても、釣竿の長手方向は本体の長手方向と一致する。すなわち、従来の釣竿保持装置のように、本体を基台に対して水平面内において回動させ、さらに、鉛直面内において回動させても、釣竿受け台の開口部が斜め上方を向くことはなく、常に、上方を向いた状態を維持する。このため、釣竿が釣竿受け台から滑り落ちることはなく、釣竿の水平面内における回動及び鉛直面内における回動を自在に行うことができる。
【００１３】
請求項１に記載した釣竿保持装置においては、前記基台は、前記アームに対して前記アームの前端及び後端の双方を中心として鉛直面内において回動可能であり、かつ、前記アームから取り外すことができるように形成されている。このように、基台をアームに対してアームの前端及び後端の何れをも中心として回動可能に形成することによって、本体を基台に対して回動させることに加えて、基台をアームに対しても回動させることにより、釣竿をより大きく回動させることができるようになる。
【００１４】
また、基台をアームから取り外すことができるように形成することにより、基台及び本体をアームから取り外した状態で、アームのみを船縁に取り付けることができるようになるので、アームの取り付けを容易に行うことができる。
【００１５】
請求項１に記載した基台とアームとの間の構造的な関係は、例えば、前記一組のアームの間に前記アームの前端及び後端において２本の軸を掛け渡し、前記２本の軸の各々に対して係合及び脱離自在な二つのフック部材を介して前記基台を前記アームに支持することにより達成することができる。
【００１６】
請求項３に記載した釣竿保持装置においては、前記基台と前記本体との間に配置されるジョイント部材を備えており、前記本体は前記ジョイント部材に対して鉛直面内において回動可能であるように前記ジョイント部材に取り付けられており、前記ジョイント部材の底面には、半径方向に等間隔に凸状体が形成され、前記ジョイント部材の底面から突出している雄ジョイントが形成され、前記基台の上面には、前記雄ジョイントの凸状体と係合し得る凹状体が形成されている雌ジョイントが形成されており、前記雄ジョイントと前記雌ジョイントとの係合位置を変えることによって、前記本体は前記基台に対して水平面内において回動可能であるようになっていることを特徴とする。
【００１７】
このジョイント部材に設けられた雄ジョイントと雌ジョイントとの組み合わせにより、本体は、基台に対して水平面内において自在に回動することができる。また、ジョイント部材には、例えば、軸が支持されており、本体はこの軸に回動自在に取り付けられる。これによって、本体はジョイント部材ひいては基台に対して鉛直面内において回動可能となる。ただし、本体を鉛直面内においてジョイント部材に対して回動可能であるように構成する機構は上記のものに限定されるものではなく、他の機構をも採用し得る。
【００１８】
前記雄ジョイント及び前記雌ジョイントの中央にそれぞれ貫通穴を形成し、前記ジョイント部材と前記基台とは、前記雄ジョイント及び前記雌ジョイントの双方の貫通穴に通されたボルトと、該ボルトに対応する蝶ネジとによって、相互に固定するようにすることができる。
【００１９】
ボルト及び蝶ネジの組み合わせを用いることにより、雄ジョイントと雌ジョイントとを容易に係合及び脱離させることができ、雄ジョイントと雌ジョイントとの間の位置関係、ひいては、本体と基台との間の相対的な位置関係を容易に変更することができる。すなわち、本体を基台に対して水平面内において容易に回動させることができる。
【００２０】
請求項５に記載した釣竿保持装置においては、前記一対のアームの各々は、少なくとも、第一の部材と、該第一の部材と直交して延びる第二の部材とを備えており、第一の軸が前記第一の部材において前記一対のアームの間に掛け渡され、第二の軸が前記第一の部材と前記第二の部材の交点において前記一対のアームの間に掛け渡され、第三の軸が前記第二の部材において前記一対のアームの間に掛け渡されており、前記第一の軸と前記第二の軸との間の距離は前記第二の軸と前記第三の軸との間の距離に等しくなるように設定されている。
【００２１】
例えば、アームの形状をＬ字型又はコ字型に形成し、上述の関係を満たすように、対向している一対のアーム間に第一乃至第三の軸を掛け渡す。かかる構成により、例えば、第一の軸と第二の軸との間に基台を支持してもよく、あるいは、第二の軸と第三の軸との間に基台を支持することもできる。このように、基台を二つの位置において支持可能とすることにより、船縁の形状の相違に応じて、より好ましい位置を選択して、基台を船縁に取り付けることができる。
【００２２】
【発明の実施の形態】
図１乃至図５に本発明に係る釣竿保持装置の一実施形態を示す。
本実施形態に係る釣竿保持装置は一対のアーム３０を備えている。アーム３０は、第一の部材３０ａと、第一の部材３０ａと直角に延びる第二の部材３０ｂと、第二の部材３０ｂに直交し、かつ、第一の部材３０ａと同一の方向に平行に延びる第三の部材３０ｃとからなり、全体としてコの字型の形状をなしている。
【００２３】
一対のアーム３０の間には、第一部材３０ａ内に第一の軸３２、第一部材３０ａと第二部材３０ｂとの交点に第二の軸３４、第二部材３０ｂ内に第三の軸３６及び第四の軸３８（図１では、第三の軸３４及び第四の軸３６のみ図示。第一の軸３２及び第二の軸３４は図２参照）が掛け渡されており、これら４個の軸によって、一対のアーム３０は相互に対向している。第一の軸３２と第二の軸３４との間の距離、第二の軸３４と第三の軸３６との間の距離及び第三の軸３６と第四の軸３８との間の距離は全て等しく設定されている。
【００２４】
一対のアーム３０の各々にはクランプ部材４０が螺合されており、このクランプ部材４０を上方に進め、アーム３０の第一部材３０ａとクランプ部材４０との間に船縁４２を挟み込むことにより、アーム３０が船縁４２に固定される。
第一の軸３２及び第二の軸３４の上方には基台４４が支持されている。図２に示すように、基台４４は箱型の形状をなしており、その両側面には逆Ｕ字型の開口部４４ａが２個ずつ形成されている。基台４４は、２個の開口部４４ａがそれぞれ第一の軸３２及び第二の軸３４上にまたがるようにして、一対のアーム３０の間に保持されている。
【００２５】
基台４４の内部には、第一の軸３２及び第二の軸３４に対応して、二つのフック部材４６が取り付けられている。このフック部材４６は基台４４内部に掛け渡された軸４８を中心として回動可能であり、さらに、第一の軸３２及び第二の軸３４の各々に係合し得る円弧部分４６ａを先端に有している。フック部材４６の把手部４６ｂは、基台４４の長手方向の両端面に形成された開口部４４ｂ（図２では片方のみ図示）から外部に突出している。各フック部材４６は軸４８に巻回されたバネ部材５０によって、常に、矢印Ａの方向に付勢されている。このため、常態においては、各フック部材４６は第一の軸３２及び第二の軸３４の各々に係合した状態にあり、開口部４４ｂから突出している把手部４６ｂを矢印Ａとは反対の方向に回動させることにより、各フック部材４６と第一の軸３２及び第二の軸３４との係合を解除させることができる。
【００２６】
このように、基台４４はフック部材４６を介してそれぞれ第一の軸３２及び第二の軸３４と係合しているため、基台４４は第一の軸３２及び第二の軸３４の双方を中心として回動可能であり、さらには、基台４４は第一の軸３２及び第二の軸３４から取り外すことも可能である。第一の軸３２とそれに対応するフック部材４６の係合を解除させれば、基台４４は第二の軸３４を中心として回動可能であり、また、第二の軸３４とそれに対応するフック部材４６の係合を解除させれば、基台４４は第一の軸３２を中心として回動可能である。さらに、第一の軸３２及び第二の軸３４の双方とそれらに対応するフック部材４６の係合を解除すれば、第一の軸３２及び第二の軸３４から基台４４を取り外すことができる。
【００２７】
図１に示すように、基台４４の上には本体５２が取り付けられている。後述するように、本体５２は基台４４に対して鉛直面内において回動可能であり、かつ、水平面内においても回動可能であるように基台４４に取り付けられている。
本体５２の前方（本実施形態の説明において、「前」とは図１の左側、「後」とは図１の右側を指すものとする）には、本体５２に取り付けられている軸５４を中心として矢印Ｂの方向に回動可能に釣竿受け台５６が取り付けられている。この釣竿受け台５６には上方に開口しているＵ字型の釣竿支持部５６ａが設けられている。
【００２８】
一方、本体５２の後方には、本体５２に取り付けられている軸５８（図４参照）を中心として矢印Ｃの方向に回動可能に釣竿支持体６０が取り付けられている。釣竿支持体６０は、釣竿支持体６０の上半分を構成する第一部材６０ａと、釣竿支持体６０の下半分を構成する第二部材６０ｂとからなり、第一部材６０ａと第二部材６０ｂとはネジ６２を介して結合されている。第一部材６０ａと第二部材６０ｂにはそれぞれ半円状の開口が形成されており、第一部材６０ａと第二部材６０ｂとが結合されるとそれらの半円状開口が組合わさって、一つの円形状の開口６４を形成する。
【００２９】
ネジ６２を緩め、第一部材６０ａと第二部材６０ｂとの間隔を広げた後、釣竿６６（破線で示す）の後端を開口６４に差し込み、同時に、釣竿６６の前方部分をＵ字型釣竿受け台５６に載せ、次いで、ネジ６２を締める。このようにして、釣竿６６が釣竿受け台５６と釣竿支持体６０とにより水平に保持される。
【００３０】
釣竿支持体６０の第二部材６０ｂの内部には図３に示すようなフック部材６８が第二部材６０ｂに取り付けられている軸６８ａを中心として第二部材６０ｂに対して回動自在に取り付けられている。フック部材６８は軸５８（図４参照）に係合可能な円弧部分６８ｂを有しており、さらに、軸６８ａに巻かれているバネ７０により矢印Ｄの方向に常に付勢されている。従って、常態においては、釣竿支持体６０はフック部材６８を介して軸５８に係合しており、軸５８を中心として回動可能な状態にある。フック部材６８の把手部６８ｃは釣竿支持体６０の第二部材６０ｂに形成されている開口６０ｃから外部に突出しており、この把手部６８ｃを矢印Ｄとは逆の方向に回動させることにより、フック部材６８と軸５８との係合が解除され、釣竿支持体６０を軸５８から取り外すことができる。
【００３１】
図２に示すように、基台４４と本体５２とはジョイント部材７２を介して取り付けられている。ジョイント部材７２はステンレスその他の金属からなり、平面部７２ａと、平面部の両側面から直立している一対の側面部７２ｂとを備えている。ジョイント部材７２の前端付近において、一対の側面部７２ｂの間には軸７４が支持されており、本体５２は軸７４に回動自在に取り付けられている。
【００３２】
ジョイント部材７２の後端付近には、軸７６が取り付けられている。
【００３３】
ジョイント部材７２の平面部７２ａの底面には雄ジョイント７８が形成されている。雄ジョイント７８は円柱形状をなしており、その底面には、半径方向に等間隔に延びている断面が三角形状の凸状体７８ａが下方を向いて形成されている。
【００３４】
一方、基台４４には、雄ジョイント７８に対応する位置に、雄ジョイント７８の断面と同一形状の断面を有し、かつ、雄ジョイント７８の高さと同じ深さを有する凹部４４ｃが形成されており、凹部４４ｃの底面には雌ジョイント８０が形成されている。雌ジョイント８０には、雄ジョイント７８の凸状体７８ａと相互に嵌合し得る形状の凹状体８０ａが形成されている。雄ジョイント７８と雌ジョイント８０とが一旦係合し合うと、ジョイント部材７２ひいてはジョイント部材７２に取り付けられている本体５２と基台４４とは相互に水平面内において回動不能の状態になる。雄ジョイント７８と雌ジョイント８０とを一旦引き離し、それらの相互間の位置関係を変えて、すなわち、雄ジョイント７８を少し回転させたうえで、再び雄ジョイント７８と雌ジョイント８０とを係合させることにより、ジョイント部材７２ひいては本体５２を基台４４に対して水平面内において回動させることができる。
【００３５】
雄ジョイント７８と雌ジョイント８０の中央には貫通穴７８ｂ，８０ｂがそれぞれ形成されており、この貫通穴７８ｂ，８０ｂに下方からボルト８２を通し、ジョイント部材７２の平面部７２ａを貫通して突出したボルト８２の先端に蝶ネジ８４を螺合させることにより、雄ジョイント７８と雌ジョイント８０ひいてはジョイント部材７２と基台４４とは結合されている。なお、蝶ネジ８４が本体５２に接触しないように、蝶ネジ８４に対応する箇所においては本体５２は空洞に形成されている。
【００３６】
図４に示すように、本体５２のほぼ中央には空洞部５２ａが形成されており、この空洞部５２ａの内部に図５に示すようなフック部材８６が配置されている。フック部材８６は本体５２に取り付けられている軸８８に取り付けられており、軸８８を中心として回動可能であり、ジョイント部材７２の平面部７２ａ上に形成されている軸７６に係合可能な屈曲部８６ａを有している。フック部材８６は軸８８に巻かれているバネ９０（バネ９０の一端はフック部材８６それ自体に当接し、他端は本体５２の直立壁５２ｂに当接している）により常に矢印Ｅの方向に付勢されており、このため、常態においては、フック部材８６は軸７６に係合している。すなわち、フック部材８６は軸７６に係合することによりストッパーの役目を果たしており、フック部材８６が軸７６に係合している限り、本体５２は軸７４を中心として回動することはできないようになっている。
【００３７】
フック部材８６と軸７６との係合はフック部材８６の上端部８６ｂを矢印Ｅの方向とは逆の方向に回動させることにより解除させることができる。フック部材８６と軸７６との係合が解除された状態では、本体５２は軸７４を中心として回動可能である。
【００３８】
以上のような構造を有する本実施形態に係る釣竿保持装置は次のようにして用いられる。
先ず、基台４４を取り外した状態で一対のアーム３０をクランプ部材４０を介して船縁４２に固定する。その後、二つのフック部材４６を介して基台４４を第一の軸３２及び第二の軸３４に取り付ける。
【００３９】
次いで、釣竿６６を釣竿受け台５６上に置いた後、釣竿６６の後端を釣竿支持体６０の開口部６４に差し入れ、釣竿支持体６０に固定する。
次いで、フック部材８６を矢印Ｅとは逆の方向に回動させ、本体５２と軸７６との係合を解除させる。この後、本体５２を軸７４を中心として回動させ、釣竿６６の先端を水中に落とし込む。
【００４０】
釣竿６６の向きを変える必要があるときは、本体５２を軸７４を中心として回動させた状態のまま、蝶ネジ８４をゆるめ、雄ジョイント７８を少し浮かせて雌ジョイント８０との間の相対的な位置関係を変えたうえで再び雌ジョイント８０と係合させる。その後、蝶ネジ８４を締め、雄ジョイント７８と雌ジョイント８０とを固定させる。あるいは、雄ジョイント７８と雌ジョイント８０との間の相対的位置関係を変えた後で、すなわち、本体５２を基台４４に対して水平面内において回動させた後で、本体５２を軸７４を中心として回動させてもよい。
【００４１】
何れの場合においても、本実施形態においては、釣竿受け台５６は本体５２とともに鉛直面内において回動するとともに、水平面内においても本体５２とともに回動するので、本体５２を基台４４に対して鉛直面内及び水平面内の双方において回動させても、釣竿受け台５６のＵ字型開口部５６ａは常に上方を向いており、従来の釣竿保持装置のように、斜め上方を向いてしまうことはない。従って、従来の釣竿保持装置と異なり、本実施形態に係る釣竿保持装置においては、釣竿６６が釣竿受け台５６からずり落ちてしまうことはない。
【００４２】
本体５２を軸７４を中心として回動させただけでは、釣竿６６の落とし込みの角度が足りないような場合には、第二の軸３４とそれに対応するフック部材４６との係合を解除し、基台４４を第一の軸３２を中心として回動させることにより、本体５２をさらに回動させることが可能である。従って、釣竿６６をさらに水中に落とし込むことができる。
【００４３】
さらに、本実施形態においては、第一の軸３２と第二の軸３４との間の距離、第二の軸３４と第三の軸３６との間の距離及び第三の軸３６と第四の軸３８との間の距離は全て等しく設定されているので、第一の軸３２と第二の軸３４との間、第二の軸３４と第三の軸３６との間、あるいは、第三の軸３６と第四の軸３８との間の何れにも基台４４を取り付けることができ、船縁４２の形状の相違に応じて基台４４の取り付け位置を自在に変えることができる。
【００４４】
【発明の効果】
以上のように、本発明のうち請求項１に記載した釣竿保持装置によれば、本体を基台に対して鉛直面内及び水平面内の双方において回動させても、釣竿受け台が斜めに傾斜することがなく、従来の釣竿保持装置とは異なり、釣竿が釣竿受け台から滑り落ちることがない。
【００４５】
請求項２に記載した釣竿保持装置によれば、本体を基台に対して回動させることに加えて、基台をアームに対しても回動させることができるので、釣竿をより大きく回動させることが可能になる。また、基台をアームから取り外すことができるので、先ず、アームのみを船縁に取り付け、その後に基台及び本体をアームに取り付けることが可能になる。従って、船縁へのアームの取り付けを容易に行うことができる。
【００４６】
請求項３に記載した釣竿保持装置によれば、基台とアームとの間の具体的な構造的関係が提供される。
請求項４に記載した釣竿保持装置によれば、ジョイント部材に設けられた雄ジョイントと雌ジョイントとの組み合わせを用いて、本体が、基台に対して水平面内において自在に回動することを可能にする。
【００４７】
請求項５に記載した釣竿保持装置によれば、ボルト及び蝶ネジの組み合わせを用いることにより、雄ジョイントと雌ジョイントとを容易に係合及び脱離させることができ、本体を基台に対して水平面内において容易に回動させることができる。
請求項６に記載した釣竿保持装置によれば、基台を二つの位置において支持することが可能になり、船縁の形状の相違に応じて、より好ましい位置を選択することができる。
【図面の簡単な説明】
【図１】本発明に係る釣竿保持装置の一実施形態の斜視図である。
【図２】図１に示した釣竿保持装置の一部を分解した部分的な斜視図である。
【図３】釣竿支持体に用いられるフック部材の平面図である。
【図４】本体及び釣竿受け台を上方から見たときの斜視図である。
【図５】本体に用いられるフック部材の平面図である。
【図６】従来の釣竿保持装置の平面図である。
【符号の説明】
３０  アーム
３２  第一の軸
３４  第二の軸
３６  第三の軸
３８  第四の軸
４０  クランプ部材
４２  船縁
４４  基台
４６  フック部材
５２  本体
５６  釣竿受け台
５８  軸
６０  釣竿支持体
６６  釣竿
６８  フック部材
７０  バネ
７２  ジョイント部材
７４  軸
７８  雄ジョイント
８０  雌ジョイント
８２  ボルト
８４  蝶ネジ
８６  フック部材
【図１】
0003542696.tif 000002
【図２】
0003542696.tif 000003
【図３】
0003542696.tif 000004
【図４】
0003542696.tif 000005
【図５】
0003542696.tif 000006
【図６】
0003542696.tif 000007